(57)【要約】【課題】スキャナドライバを端末にインストールしなくても、ユーザの指示に応じて処理したスキャンデータをパソコンに取得させることができるネットワークスキャナを提供すること。【解決手段】ネットワークに接続されており、読取手段１４によって原稿を読み取るネットワークスキャナ２に、ネットワークフォルダであり、指示データが置かれる指示データ記憶フォルダ４１と、指示データ記憶フォルダ４１から指示データを読み出す指示データ読出手段５０と、指示データ読出手段５０が読み出した指示データに従って、読取手段１４に原稿を読み取らせる読取制御手段５０と、ネットワークフォルダであり、読取手段１４が読み取ったスキャンデータを記憶する画像記憶フォルダ４２と、読取制御手段５０が指示データに従って読取手段１４に原稿を読み取らせることにより取得したスキャンデータを、画像記憶フォルダ４２に記憶させる画像記憶制御手段５０と、を設ける。【選択図】図２
2007174444.tif 000002
【特許請求の範囲】
【請求項１】
ネットワークに接続されており、読取手段によって原稿を読み取るネットワークスキャナにおいて、
ネットワークフォルダであり、指示データが置かれる指示データ記憶フォルダと、
前記指示データ記憶フォルダから指示データを読み出す指示データ読出手段と、
前記指示データ読出手段が前記指示データ記憶フォルダから読み出した指示データに従って、前記読取手段に原稿を読み取らせる読取制御手段と、
ネットワークフォルダであり、前記読取手段が前記指示データに従って読み取ったスキャンデータを記憶する画像記憶フォルダと、
前記読取制御手段が前記指示データに従って前記読取手段に原稿を読み取らせることにより取得したスキャンデータを、前記画像記憶フォルダに記憶させる画像記憶制御手段と、を有することを特徴とするネットワークスキャナ。
【請求項２】
請求項１に記載するネットワークスキャナにおいて、
前記読取手段は、前記指示データが示す読取条件で原稿を読み取ることを特徴とするネットワークスキャナ。
【請求項３】
請求項１又は請求項２に記載するネットワークスキャナにおいて、
前記指示データが、識別子を含み、
前記画像記憶制御手段は、
前記識別子を前記スキャンデータに付し、当該スキャンデータを前記画像記憶フォルダに記憶させるものであることを特徴とするネットワークスキャナ。
【請求項４】
請求項１又は請求項２に記載するネットワークスキャナにおいて、
前記指示データが、識別子を含み、
前記画像記憶制御手段は、
前記識別子によって特定される画像記憶フォルダにスキャンデータを記憶させるものであることを特徴とするネットワークスキャナ。
【請求項５】
請求項１乃至請求項４の何れか１つに記載するネットワークスキャナにおいて、
原稿の読み取りを開始する開始指示を受ける開始指示受取手段を有し、
前記読取手段は、
前記指示データ記憶フォルダに前記指示データが置かれ、且つ、前記開始指示受取手段が前記開始指示を受けたときに、原稿を読み取るものであることを特徴とするネットワークスキャナ。
【請求項６】
請求項１乃至請求項５の何れか１つに記載するネットワークスキャナにおいて、
前記指示データ記憶フォルダに前記指示データが置かれたときに、前記指示データ記憶フォルダへのアクセスを禁止するアクセス制御手段を有することを特徴とするネットワークスキャナ。
【請求項７】
請求項１乃至請求項６の何れか１つに記載するネットワークスキャナにおいて、
前記指示データ記憶フォルダに前記指示データが置かれたときに、スキャン待ちであることを報知する報知手段を有することを特徴とするネットワークスキャナ。
【請求項８】
請求項１乃至請求項７の何れか１つに記載するネットワークスキャナにおいて、
前記読取手段による原稿の読み取りが完了したときに、当該ネットワークスキャナに前記ネットワークを介して接続されており前記指示データを前記指示データ記憶フォルダに置いた端末に読取完了を通知する通知手段を有することを特徴とするネットワークスキャナ。
【請求項９】
ネットワークを介して端末とスキャナとを通信可能にするものであって、前記スキャナが読取手段によって原稿を読み取るネットワークスキャナシステムにおいて、
ネットワークフォルダであって指示データが置かれる指示データ記憶フォルダと、
前記指示データ記憶フォルダから指示データを読み出す指示データ読出手段と、
前記指示データ読出手段が前記指示データ記憶フォルダから読み出した指示データに従って、前記読取手段に原稿を読み取らせる読取制御手段と、
前記読取制御手段が前記指示データに従って前記読取手段に原稿を読み取らせることにより取得したスキャンデータを、ネットワークフォルダであって前記読取手段が前記指示データに従って原稿を読み取ったスキャンデータを記憶する画像記憶フォルダを備えた装置に送信する画像記憶制御手段と、を備える外部記憶装置を、前記スキャナに接続し、
前記端末が、
前記指示データを前記ネットワークを介して前記指示データ記憶フォルダに記憶させる指示データ入力手段を有することを特徴とするネットワークスキャナシステム。
【請求項１０】
請求項９に記載するネットワークスキャナシステムにおいて、
前記読取手段は、前記指示データが示す読取条件で原稿を読み取ることを特徴とするネットワークスキャナシステム。
【請求項１１】
請求項９又は請求項１０に記載するネットワークスキャナシステムにおいて、
前記指示データが、識別子を含み、
前記画像記憶制御手段は、
前記識別子を前記スキャンデータに付し、当該スキャンデータを前記画像記憶フォルダに記憶させるものであることを特徴とするネットワークスキャナシステム。
【請求項１２】
請求項９又は請求項１０に記載するネットワークスキャナシステムにおいて、
前記指示データが、識別子を含み、
前記画像記憶制御手段は、
前記識別子によって特定される画像記憶フォルダにスキャンデータを記憶させるものであることを特徴とするネットワークスキャナシステム。
【請求項１３】
請求項９乃至請求項１２の何れか１つに記載するネットワークスキャナシステムにおいて、
前記外部記憶装置は、
原稿の読み取りを開始する開始指示を受ける開始指示受取手段を有し、
前記読取手段は、
前記指示データ記憶フォルダに前記指示データが置かれ、且つ、前記開始指示受取手段が前記開始指示を受けたときに、原稿を読み取るものであることを特徴とするネットワークスキャナシステム。
【請求項１４】
請求項９乃至請求項１３の何れか１つに記載するネットワークスキャナシステムにおいて、
前記外部記憶装置は、
ある端末が前記指示データ記憶フォルダに前記指示データを置いたことを検知したときに、他の端末が前記指示データ記憶フォルダにアクセスすることを禁止するアクセス制御手段を有することを特徴とするネットワークスキャナシステム。
【請求項１５】
請求項９乃至請求項１４の何れか１つに記載するネットワークスキャナシステムにおいて、
前記外部記憶装置は、
前記指示データ記憶フォルダに前記指示データが置かれことを検知したときに、スキャン待ちであることを報知する報知手段を有することを特徴とするネットワークスキャナシステム。
【請求項１６】
請求項９乃至請求項１５の何れか１つに記載するネットワークスキャナシステムにおいて、
前記外部記憶装置は、
前記読取手段による原稿の読み取りが完了したときに、前記指示データを前記指示データ記憶フォルダに置いた端末に、読取完了を通知する通知手段を有することを特徴とするネットワークスキャナシステム。
【発明の詳細な説明】
【技術分野】
【０００１】
本発明は、原稿を読み取って、そのスキャンデータをネットワークを介して端末へ出力するネットワークスキャナ及びネットワークスキャナシステムに関する。
【背景技術】
【０００２】
近年、パーソナルコンピュータ（以下「パソコン」という。）やワークステーションのネットワーク化が進み、その中で、ネットワークスキャナとパソコンとをネットワークで接続するネットワークスキャナシステムが構築されている。従来のネットワークスキャナシステムは、予め、ネットワークを介してネットワークスキャナに接続されるパソコンにスキャナドライバをインストールしておき、原稿読取時には、パソコンが、ネットワークを介してネットワークスキャナに接続し、読取モードを指定すると、ネットワークスキャナが原稿を読み取って画像データをパソコンへ送信し、パソコンが、ネットワークスキャナから受信した画像データに必要に応じて処理を施し、読出元のアプリケーションに出力している（例えば、特許文献１参照）。
【０００３】
【特許文献１】特開２００５−２２３７５９号公報
【発明の開示】
【発明が解決しようとする課題】
【０００４】
しかしながら、従来のネットワークスキャナ及びネットワークスキャナシステムは、スキャナに対する読取指示や、スキャン結果画像データ処理を、パソコン側で行うため、ユーザは、スキャナドライバをパソコンにインストールしなければ、ユーザの指示に応じて処理したスキャンデータをパソコンのアプリケーションに出力させることができなかった。そのため、ネットワークを介して複数のパソコンをネットワークスキャナに接続してネットワークシステムを構築する場合、各々のパソコンにスキャナドライバをインストールしなければならず、手間がかかって面倒であった。
【０００５】
本発明は、上記問題点を解決するためになされたものであり、スキャナドライバを端末にインストールしなくても、ユーザの指示に応じて処理したスキャンデータをパソコンに取得させることができるネットワークスキャナ及びネットワークスキャナシステムを提供することを目的とする。
【課題を解決するための手段】
【０００６】
本発明に係るネットワークスキャナは、上記課題を解決するために以下の構成を有する。
（１）ネットワークに接続されており、読取手段によって原稿を読み取るネットワークスキャナにおいて、ネットワークフォルダであり、指示データが置かれる指示データ記憶フォルダと、前記指示データ記憶フォルダから指示データを読み出す指示データ読出手段と、前記指示データ読出手段が前記指示データ記憶フォルダから読み出した指示データに従って、前記読取手段に原稿を読み取らせる読取制御手段と、ネットワークフォルダであり、前記読取手段が前記指示データに従って読み取ったスキャンデータを記憶する画像記憶フォルダと、前記読取制御手段が前記指示データに従って前記読取手段に原稿を読み取らせることにより取得したスキャンデータを、前記画像記憶フォルダに記憶させる画像記憶制御手段と、を有することを特徴とする。
【０００７】
（２）（１）に記載の発明において、前記読取手段は、前記指示データが示す読取条件で原稿を読み取ることを特徴とする。
【０００８】
（３）（１）又は（２）に記載の発明において、前記指示データが、識別子を含み、前記画像記憶制御手段は、前記識別子を前記スキャンデータに付し、当該スキャンデータを前記画像記憶フォルダに記憶させるものであることを特徴とする。
【０００９】
（４）（１）又は（２）に記載の発明において、前記指示データが、識別子を含み、前記画像記憶制御手段は、前記識別子によって特定される画像記憶フォルダにスキャンデータを記憶させるものであることを特徴とする。
【００１０】
（５）（１）乃至（４）の何れか１つに記載の発明において、原稿の読み取りを開始する開始指示を受ける開始指示受取手段を有し、前記読取手段は、前記指示データ記憶フォルダに前記指示データが置かれ、且つ、前記開始指示受取手段が前記開始指示を受けたときに、原稿を読み取るものであることを特徴とする。
【００１１】
（６）（１）乃至（５）の何れか１つに記載の発明において、前記指示データ記憶フォルダに前記指示データが置かれたときに、前記指示データ記憶フォルダへのアクセスを禁止するアクセス制御手段を有することを特徴とする。
【００１２】
（７）（１）乃至（６）の何れか１つに記載の発明において、前記指示データ記憶フォルダに前記指示データが置かれたときに、スキャン待ちであることを報知する報知手段を有することを特徴とする。
【００１３】
（８）（１）乃至（７）の何れか１つに記載の発明において、前記読取手段による原稿の読み取りが完了したときに、当該ネットワークスキャナに前記ネットワークを介して接続されており前記指示データを前記指示データ記憶フォルダに置いた端末に読取完了を通知する通知手段を有することを特徴とする。
【００１４】
また、本発明に係るネットワークスキャナシステムは、上記課題を解決するために以下の構成を有する。
（９）ネットワークを介して端末とスキャナとを通信可能にするものであって、前記スキャナが読取手段によって原稿を読み取るネットワークスキャナシステムにおいて、ネットワークフォルダであって指示データが置かれる指示データ記憶フォルダと、前記指示データ記憶フォルダから指示データを読み出す指示データ読出手段と、前記指示データ読出手段が前記指示データ記憶フォルダから読み出した指示データに従って、前記読取手段に原稿を読み取らせる読取制御手段と、前記読取制御手段が前記指示データに従って前記読取手段に原稿を読み取らせることにより取得したスキャンデータを、ネットワークフォルダであって前記読取手段が前記指示データに従って原稿を読み取ったスキャンデータを記憶する画像記憶フォルダを備えた装置に送信する画像記憶制御手段と、を備える外部記憶装置を、前記スキャナに接続し、前記端末が、前記指示データを前記ネットワークを介して前記指示データ記憶フォルダに記憶させる指示データ入力手段を有することを特徴とする。
【００１５】
（１０）（９）に記載の発明において、前記読取手段は、前記指示データが示す読取条件で原稿を読み取ることを特徴とする。
【００１６】
（１１）（９）又は（１０）に記載の発明において、前記指示データが、識別子を含み、前記画像記憶制御手段は、前記識別子を前記スキャンデータに付し、当該スキャンデータを前記画像記憶フォルダに記憶させるものであることを特徴とする。
【００１７】
（１２）（９）又は（１０）に記載の発明において、前記指示データが、識別子を含み、
前記画像記憶制御手段は、前記識別子によって特定される画像記憶フォルダにスキャンデータを記憶させるものであることを特徴とする。
【００１８】
（１３）（９）乃至（１２）の何れか１つに記載の発明において、前記外部記憶装置は、原稿の読み取りを開始する開始指示を受ける開始指示受取手段を有し、前記読取手段は、前記指示データ記憶フォルダに前記指示データが置かれ、且つ、前記開始指示受取手段が前記開始指示を受けたときに、原稿を読み取るものであることを特徴とする。
【００１９】
（１４）（９）乃至（１３）の何れか１つに記載の発明において、前記外部記憶装置は、ある端末が前記指示データ記憶フォルダに前記指示データを置いたことを検知したときに、他の端末が前記指示データ記憶フォルダにアクセスすることを禁止するアクセス制御手段を有することを特徴とする。
【００２０】
（１５）（９）乃至（１４）の何れか１つに記載の発明において、前記外部記憶装置は、前記指示データ記憶フォルダに前記指示データが置かれことを検知したときに、スキャン待ちであることを報知する報知手段を有することを特徴とする。
【００２１】
（１６）（９）乃至（１５）の何れか１つに記載の発明において、前記外部記憶装置は、前記読取手段による原稿の読み取りが完了したときに、前記指示データを前記指示データ記憶フォルダに置いた端末に、読取完了を通知する通知手段を有することを特徴とする。
【発明の効果】
【００２２】
上記構成を有する発明の効果について説明する。
本発明のネットワークスキャナによれば、ネットワークフォルダである指示データ記憶フォルダに置かれた指示データを読み出し、その指示データに従って読取手段によって原稿を読み取り、読取手段が指示データに従って読み取ったスキャンデータを、ネットワークフォルダである画像記憶フォルダに記憶させるので、スキャナドライバを端末にインストールしなくても、ユーザの指示に応じて処理したスキャンデータを端末に取得させることができる。
【００２３】
尚、上記ネットワークスキャナが有する指示データ記憶フォルダとスキャンデータ記憶フォルダは、同一のメモリで構成しても、別々のメモリで構成してもよく、以下同様に解するものとする。
【００２４】
本発明のネットワークスキャナシステムによれば、ユーザが端末に指示データを入力すると、その指示データが外部記憶装置に備えられたネットワークフォルダである指示データ記憶フォルダに置かれ、指示データ読出手段が、外部記憶装置の指示データ記憶フォルダから指示データを読み出し、読取制御手段が、指示データ読出手段が読み出した指示データに従って読取手段に原稿を読み取らせ、画像記憶制御手段が、読取手段が指示データに従って読み取ったスキャンデータを、ネットワークフォルダである画像記憶フォルダを備える装置に送信して画像記憶フォルダに記憶させるので、スキャナドライバを端末にインストールしなくても、ユーザの指示に応じて処理したスキャンデータを端末に取得させることができる。
【００２５】
尚、上記ネットワークスキャナシステムが有する指示データ記憶フォルダとスキャンデータ記憶フォルダは、同一装置内に同じメモリで構成しても、別々のメモリで構成してもよいし、別々の装置のメモリで構成してもよい。以下同様に解するものとする。
【００２６】
また、本発明のネットワークスキャナ及びネットワークスキャナシステムによれば、複数のユーザがネットワークスキャナ又はスキャナを共有する場合、各ユーザで読取条件（スキャンタイプ（色数）、解像度、原稿サイズなど）が異なることがあるが、読取手段が、指示データ記憶フォルダに置かれた指示データに含まれる読取条件に従って原稿を読み取るので、ネットワークスキャナ又はスキャナを使用するユーザ毎に読取条件をネットワークスキャナ又はスキャナに予め記憶させておく必要がなく、ネットワークスキャナ又はスキャナのメモリが圧迫されない。
【００２７】
また、本発明のネットワークスキャナ及びネットワークスキャナシステムによれば、読取手段が読み取ったスキャンデータに指示データに含まれる識別子を付し、そのスキャンデータを画像記憶フォルダに記憶させるので、各ユーザに、自己の設定した指示データに従って読み取られたスキャンデータのみを取得させることができる。
【００２８】
また、本発明のネットワークスキャナ及びネットワークスキャナシステムによれば、読取手段が読み取ったスキャンデータを、指示データに含まれる識別子によって特定される画像記憶フォルダに記憶させるので、各ユーザに、自己の設定した指示データに従って読み取られたスキャンデータのみを取得させることができる。
【００２９】
また、本発明のネットワークスキャナ及びネットワークスキャナシステムによれば、指示データ記憶フォルダに指示データが置かれ、且つ、開始指示受取手段が開始指示を受けると、読取手段が指示データに従って原稿を読み取り始めるので、ユーザは、原稿読み取りを行うときに、端末の設置場所からネットワークスキャナ又はスキャナの設置場所へ原稿をセットするために１回行くだけでよい。
【００３０】
また、本発明のネットワークスキャナ及びネットワークスキャナシステムによれば、ある端末が原稿を読み取るために、指示データを指示データ記憶フォルダに置くと、他の端末が指示データを置かれた指示データ記憶フォルダへのアクセスを禁止され、指示データを置けなくなるので、他の端末が指示した指示データに従って、読取手段が原稿を読み取る不具合を回避できる。
【００３１】
また、本発明のネットワークスキャナ及びネットワークスキャナシステムによれば、指示データ記憶フォルダに指示データが置かれたときに、ネットワークスキャナ又はスキャナがスキャン待ちであることを報知するので、あるユーザが指示データを設定した後に、他のユーザが指示データを設定したために、読取手段が、あるユーザが読取手段にセットした原稿を、他のユーザが設定した指示データに従って読み取る不具合を回避できる。
【００３２】
また、本発明のネットワークスキャナ及びネットワークスキャナシステムによれば、読取手段による原稿の読み取りが完了したときに、指示データを指示データ記憶フォルダに置いた端末に読取完了を通知するので、ユーザは、ネットワークスキャナ又はスキャナの設置場所を離れて端末に戻っていても、原稿の読み取りが終わったことを知ることができる。
【発明を実施するための最良の形態】
【００３３】
次に、本発明に係るネットワークスキャナ及びネットワークスキャナシステムの一実施の形態について図面を参照して説明する。
【００３４】
（第１実施形態）
＜ネットワークスキャナシステム＞
図１は、ネットワークスキャナシステム１のシステム構成図である。
ネットワークスキャナシステム１は、複合機（Multifunction  Peripheral：ＭＦＰ）２にＬＡＮ３を介して、複数のパソコン（端末）４Ａ，４Ｂ…を接続して構成されている。
【００３５】
＜複合機の制御ブロック＞
図２は、図１に記載するネットワークスキャナシステム１に使用される複合機２のブロック図である。
複合機２は、ＣＰＵ１１、ＲＯＭ１２、ＲＡＭ１３、読取部１４、記録部１５、表示部１６、ＵＳＢインターフェース（以下「ＵＳＢＩ／Ｆ」と略記する。）１７、パラレルインターフェース（以下「パラレルＩ／Ｆ」という。）１８、ＬＡＮインターフェース（以下「ＬＡＮＩ／Ｆ」という。）１９、メモリーカードインターフェース（以下「メモリカードＩ／Ｆ」という。）２０、ハードディスクドライブ（以下「ＨＤＤ」という。）２１、操作部２２とを備える。
【００３６】
ＣＰＵ１１は、各種演算及び処理を行うものであって、中央演算処理装置として機能する。
ＲＯＭ１２は、読み出し専用の不揮発性メモリであって、複合機２の主記憶装置の一部を構成するものである。ＲＯＭ１２には、システムプログラムなど、各種プログラムが格納されている。本実施形態では、ＲＯＭ１２には、ネットワークスキャナプログラム５０が格納されている。ネットワークスキャナプログラム５０については後述する。
【００３７】
ＲＡＭ１３は、読み書き可能な揮発性メモリであって、複合機２の主記憶装置の一部を構成する。ＲＡＭ１２は、プログラムやデータ処理の中間結果を格納するためのワークエリアなどがある。本実施形態では、ＲＡＭ１２には、指示データが置かれる指示データ記憶フォルダ４１と、指示データに従って読み取ったスキャンデータを記憶する画像記憶フォルダ４２を備える。指示データ記憶フォルダ４１は、指示データを指示ファイルに入れ、指示ファイルに当該指示データを置いたユーザを識別可能なファイル名を付けて記憶する。本実施形態では、ファイル名は、指示データに含まれるユーザ名をもとに作成される。指示ファイルの内容については後述する。また、画像記憶フォルダ４２は、ユーザを識別するユーザ名を含むフォルダ名が付され、他のフォルダと区別できるようにされている。
尚、ＲＡＭ１２は、ＣＰＵ１１、ＬＡＮＩ／Ｆ１９を介してＬＡＮ３に接続されるので、指示データ記憶フォルダ４１と画像記憶フォルダ４２は、ＬＡＮ３に接続してデータを読み出し・書き込みされるネットワークフォルダに相当する。
【００３８】
読取部１４は、紙やフイルムに描画（印刷）された画像（イメージ）を取り込むためのスキャナ機能を提供するものである。読取部１４は、ＣＰＵ１１に制御されて、指示データに従って画像の読み取りを行うよう構成されている。
記録部１５は、モノクロ或いはカラーによる文字や画像を記録紙に形成するものである。
表示部１６は、複合機２の表示装置を構成するものである。表示部１６は、例えば、ＦＴＮ方式やＤＳＴＮ方式などの単純マトリックス方式の液晶表示器や、ＴＦＴなどのアクティブマトリックス方式の液晶表示器などで構成されている。
【００３９】
ＵＳＢＩ／Ｆ１７とパラレルＩ／Ｆ１８は、複合機２に外部装置を通信可能に接続するものである。
ＬＡＮＩ／Ｆ１９は、複合機２をＬＡＮ３に接続し、複合機２とＬＡＮ３の先に接続されているパソコン４Ａ，４Ｂ…などの各装置との間の通信を可能にするものである。
メモリカードＩ／Ｆ２０は、メモリカード読取装置を複合機２に通信可能に接続するものである。
【００４０】
ＨＤＤ２１は、読み出し・書き込み可能な不揮発性メモリである。
操作部２２は、複合機２の入力装置を構成するものである。操作部２２は、所定数の入力キーを並べてなるキーボードや、表示部１６に貼付されたタッチパネルなどで構成される。操作部２２には、例えば、複合機２にスキャンを開始させるスキャン開始ボタンを有する。
【００４１】
図３は、図２に組み込まれるネットワークスキャナ３１のブロック図である。
ネットワークスキャナ３１は、複合機２に組み込まれ、複合機２にスキャナ機能を持たせている。ネットワークスキャナ３１は、ファイルシステム３２と、スキャナユニット３３と、コントロールユニット３４と、ネットワークインターフェース（以下「ネットワークＩ／Ｆ」と略記する。）３５とを備え、これらの各構成部品は、複合機２の構成部品によって構成される。
【００４２】
ファイルシステム３２は、複合機２のＲＡＭ１３により構成される。
スキャナユニット３３は、複合機２のＣＰＵ１１と読取部１４により構成される。
コントロールユニット３４は、複合機２のＣＰＵ１１、ＲＯＭ１２、ＲＡＭ１３、操作部２２により構成される。
ネットワークＩ／Ｆ３５は、複合機２のＬＡＮＩ／Ｆ１９により構成される。
【００４３】
＜指示ファイルの内容＞
図４は、指示ファイルの構造を示す図である。
指示ファイルは、ファイル名が付けられて識別可能にされ、コメントとデータとで内容を構成されている。本実施形態では、指示データには、ユーザ名、メールアドレス指定、スキャンタイプ（色数）指定、スキャン解像度指定、スキャン原稿サイズ指定、スキャン結果の保存のファイルフォーマット指定が含まれ、それらを記憶できるように指示ファイルが作成される。
【００４４】
ユーザ名とは、複合機２にアクセスしてスキャンデータを取得するアクセス権を有するユーザを識別するものである。ユーザ名は、名前の他、ニックネーム、識別番号などであってもよい。
メールアドレスは、スキャンデータ完了通知の宛先を特定するものである。
【００４５】
スキャンタイプ（色数）は、原稿を読み取るときの色数を指定するものである。本実施形態では、ユーザがＢ＆Ｗ、ＴＧ、ＴＣの中から希望する解像度を入力するようになっている。
スキャン解像度は、原稿を読み取るときの解像度を指定するものである。本実施形態では、ユーザが希望する解像度を入力できるようになっている。
スキャン原稿サイズは、原稿サイズを指定するものである。本実施形態では、ユーザがＬＴＲ、Ａ４サイズ，Ｂ４サイズ，Ｂ５サイズの中から希望する原稿サイズを入力するようになっている。
スキャン結果の保存ファイルフォーマットとは、画像記憶フォルダ４２のファイルにスキャンデータを記憶させるときのファイルフォーマットを指定するものである。本実施形態では、ユーザがＪＰＥＧフォーマット、ＴＩＦＦフォーマット、ＢＭＰフォーマットの中から希望するファイルフォーマットを入力するようになっている。
【００４６】
尚、指示ファイルのうち、ユーザ名は、ユーザを特定するために、必須入力事項にされている。一方、メールアドレス、スキャンタイプ、スキャン解像度、スキャン原稿サイズは、便宜的に或いは個人の好みで入力されるものであるので、オプション入力事項にされている。
【００４７】
＜ネットワークスキャナプログラム＞
図５は、図１に記載する複合機２が実行するネットワークスキャナプログラム５０の構成を示す図である。
ネットワークスキャナプログラム５０は、情報管理部５１、指示ファイル監視タスク５２、指示ファイル解析タスク５３、スキャンタスク５４、スキャン結果処理タスク５５、メール送信タスク５６を備える。
【００４８】
＜情報管理部のデータブロック＞
図６は、図５に示す情報管理部５１のデータブロック図である。
情報管理部５１は、複合機２のＣＰＵ１１、ＲＯＭ１２、ＲＡＭ１３、操作部２２とで構成され、画像読取時にデータの入出力を行う。情報管理部５１には、監視対象フォルダのパス名を記憶する記憶領域と、ウエイト時間を記憶する領域と、指示ファイル名を記憶する領域と、指示データに含まれるユーザ名を記憶する領域と、指示データに含まれるメールアドレスを記憶する領域と、指示データに含まれるファイルフォーマットを記憶する領域と、指示データに含まれるスキャンパラメータ（読取条件：スキャンタイプ（色数））、解像度、原稿サイズ）を記憶する領域と、スキャン結果格納バッファとを備える。
【００４９】
ここで、監視対象フォルダのパス名とは、複合機２が指示データが置かれたか否かを監視するフォルダのパス名をいう。本実施形態では、指示データ記憶フォルダ４１に指示データが置かれるので、監視対象フォルダのパス名には、指示データ記憶フォルダ４１のパス名が記憶される。
ウエイト時間とは、ネットワークスキャナプログラム５０を実行する間隔を設定する時間をいう。ウエイト時間は、予め初期設定されているが、操作部２２を用いて任意の時間に変更することも可能である。
指示ファイル名は、指示データを記憶する指示ファイルのファイル名をいう。指示ファイル名は、指示データ記憶フォルダ４１をサーチして指示データを記憶する指示ファイルを発見したときに、発見した指示ファイルのファイル名が記憶される。
【００５０】
ユーザ名、メールアドレス、ファイルフォーマット、スキャンパラメータ（スキャンタイプ（色数））、スキャン解像度、原稿サイズ）には、指示ファイルに記憶された指示データの内容が置かれる。
スキャン結果格納バッファとは、指示データに従って原稿を読み取って取得したスキャン結果（スキャンデータ）を格納するものである。
【００５１】
＜指示ファイル監視タスク＞
図７は、図５に示す指示ファイル監視タスク５２の処理手順を示す。
指示ファイル監視タスク５２は、指示データ記憶フォルダ４１から指示データを取得するとともに、スキャンデータを画像記憶フォルダ４２に記憶するものである。
【００５２】
指示ファイル監視タスク５２は、ステップ１（以下「Ｓ１」と略記する。）において、情報管理部５１から監視対象フォルダのパス名を取得する。そして、Ｓ２において、情報管理部５１からウエイト時間を取得してから、Ｓ３において、ファイルシステム３２にアクセスして、指示データが置かれた指示ファイルをサーチする。そして、Ｓ４において、指示ファイルをサーチした結果、指示ファイルが存在したか否かを判断する。指示ファイルが存在しなかった場合には（Ｓ４：ＮＯ）、Ｓ５において、所定時間ウエイトしてから、Ｓ３に戻る。所定時間ウエイトするのは、スキャン機能が複合機２の他の機能を阻害しないようにするためである。以後の処理において、所定時間ウエイトするのは（図７のＳ１０、図８のＳ２３、図９のＳ５３、図１０のＳ７３）、同様の理由である。
【００５３】
一方、指示ファイルが存在した場合には（Ｓ４：ＹＥＳ）、Ｓ６において、監視対象フォルダを書込禁止状態にする。そして、Ｓ７において、Ｓ３において、指示データが置かれた指示ファイルの指示ファイル名を情報管理部５１に記憶する。そして、Ｓ８において、指示ファイル解析タスク５３に指示ファイル検出シグナルを送る。
【００５４】
そして、Ｓ９において、スキャン結果処理タスク５５からスキャン処理完了シグナルを受信したか否かを判断する。スキャン結果処理タスク５５からスキャン処理完了シグナルを受信しない場合には（Ｓ９：ＮＯ）、Ｓ１０において、所定時間ウエイトする。
【００５５】
一方、スキャン結果処理タスク５５からスキャン処理完了シグナルを受信した場合には（Ｓ９：ＹＥＳ）、Ｓ１１において、監視対象フォルダの書込禁止状態を解除する。そして、Ｓ１２において、情報管理部５１におかれた指示ファイルを削除する。
【００５６】
＜指示ファイル解析タスク＞
図８は、図５に示す指示ファイル解析タスク５３の処理手順を示す。
指示ファイル解析タスク５３は、指示ファイル監視タスク５２が検出した指示データを解析し、原稿をスキャンする際の条件を抽出するものである。
【００５７】
指示ファイル解析タスク５３は、Ｓ２１において、情報管理部５１からウエイト時間を取得する。そして、Ｓ２２において、指示ファイル検出シグナルを指示ファイル監視タスク５２から受信したか否かを判断する。指示ファイル検出シグナルを受信していない場合には（Ｓ２２：ＮＯ）、所定時間ウエイトした後、Ｓ２２に戻る。
【００５８】
一方、指示ファイル検出シグナルを受信した場合には（Ｓ２２：ＹＥＳ）、Ｓ２４において、情報管理部５１のスキャンパラメータを初期化し、Ｓ２５において、情報管理部５１のメールアドレスを空文字列に初期化し、Ｓ２６において、情報管理部５１のファイルフォーマットを初期化する。
【００５９】
そして、Ｓ２７において、情報管理部５１から指示ファイル名を取得し、Ｓ２８において、指示ファイルをオープンする。そして、Ｓ２９において、ファイル終端か否かを判断する。ファイル終端でないと判断した場合には（Ｓ２９：ＮＯ）、Ｓ３０において、指示ファイルから１行リードする。そして、Ｓ３１において、Ｓ３０において取得したリードデータが、ユーザ名であるか否かを判断する。リードデータがユーザ名でないと判断した場合には（Ｓ３１：ＮＯ）、そのままＳ３３へ進む。一方、リードデータがユーザ名であると判断した場合には（Ｓ３１：ＹＥＳ）、Ｓ３２において、リードからユーザ名を取り出し、情報管理部５１にセットした後、Ｓ３３へ進む。
【００６０】
そして、Ｓ３３において、Ｓ３０において取得したリードデータが、メールアドレス指定か否かを判断する。リードデータがメールアドレス指定でないと判断した場合には（Ｓ３３：ＮＯ）、そのままＳ３５へ進む。一方、リードデータがメールアドレス指定であると判断した場合には（Ｓ３３：ＹＥＳ）、Ｓ３４において、リードデータからメールアドレスを取り出し、情報管理部５１にセットした後、Ｓ３５へ進む。
【００６１】
そして、Ｓ３５において、Ｓ３０において取得したリードデータが、スキャンタイプ指定か否かを判断する。リードデータがスキャンタイプ指定でないと判断した場合には（Ｓ３５：ＮＯ）、そのままＳ３７へ進む。一方、リードデータがスキャンタイプ指定であると判断した場合には（Ｓ３５：ＹＥＳ）、Ｓ３６において、リードデータからスキャンタイプを取り出し、情報管理部５１にセットした後、Ｓ３７へ進む。
【００６２】
そして、Ｓ３７において、Ｓ３０において取得したリードデータが、スキャン解像度指定か否かを判断する。リードデータがスキャン解像度指定でないと判断した場合には（Ｓ３７：ＮＯ）、そのままＳ３９へ進む。一方、リードデータがスキャン解像度指定であると判断した場合には（Ｓ３７：ＹＥＳ）、Ｓ３８において、リードデータからスキャン解像度を取り出し、情報管理部５１にセットした後、Ｓ３９へ進む。
【００６３】
そして、Ｓ３９において、Ｓ３０において取得したリードデータが、スキャン原稿サイズ指定か否かを判断する。リードデータがスキャン原稿サイズ指定でないと判断した場合には（Ｓ３９：ＮＯ）、そのままＳ４１へ進む。一方、リードデータがスキャン原稿サイズ指定であると判断した場合には（Ｓ３９：ＹＥＳ）、Ｓ４０において、リードデータからスキャン原稿サイズを取り出し、情報管理部５１にセットした後、Ｓ４１へ進む。
【００６４】
そして、Ｓ４１において、Ｓ３０において取得したリードデータが、保存ファイルフォーマット指定か否かを判断する。リードデータが保存ファイルフォーマット指定でないと判断した場合には（Ｓ４１：ＮＯ）、そのままＳ２９へ戻る。一方、リードデータが保存ファイルフォーマット指定であると判断した場合には（Ｓ４１：ＹＥＳ）、Ｓ４２において、リードデータからファイルフォーマットを取り出し、情報管理部５１にセットした後、Ｓ２９へ戻る。
【００６５】
そして、再度Ｓ２９において、ファイル終端か否かを判断する。指示ファイルのデータ終端を読み終わるまで、Ｓ２９〜Ｓ４２を繰り返す。そして、Ｓ２９において、ファイル終端であると判断した場合には（Ｓ２９：ＹＥＳ）、Ｓ４３に進む。そして、Ｓ４３において、スキャンタスク５４にスキャン開始シグナルを送った後、Ｓ２２に戻って待機する。
【００６６】
＜スキャンタスク＞
図９は、図５に示すスキャンタスク５４の処理手順を示す。
スキャンタスク５４は、指示データに従って原稿を読み取るものである。
【００６７】
スキャンタスク５４は、Ｓ５１において、情報管理部５１からウエイト時間を取得した後、Ｓ５２において、スキャン開始シグナルを指示ファイル解析タスク５３から受信したか否かを判断する。指示ファイル解析タスク５３からスキャン開始シグナルを受信していないと判断した場合には（Ｓ５２：ＮＯ）、Ｓ５３において所定時間ウエイトしてから、Ｓ５２へ戻る。
【００６８】
一方、指示ファイル解析タスク５３からスキャン開始シグナルを受信したと判断した場合には（Ｓ５１：ＹＥＳ）、Ｓ５４において、情報管理部５１からユーザ名を取得する。そして、Ｓ５５において、表示部１６にユーザ名とともに、「スキャン開始待ち」を表示する。
【００６９】
そして、Ｓ５６において、原稿セット自動認識機能があるか否かを判断する。原稿セット自動認識機能があると判断した場合には（Ｓ５６：ＹＥＳ）、Ｓ５７において、原稿のセットを認識したか否かを確認する。原稿のセットを認識したことを確認できない場合には（Ｓ５７：ＮＯ）、原稿のセットを認識するまで待機する。一方、原稿のセットを認識したことを確認できた場合には（Ｓ５７：ＹＥＳ）、Ｓ５９へ進む。
【００７０】
これに対して、原稿セット自動認識機能がないと判断した場合には（Ｓ５６：ＮＯ）、Ｓ５８において、スキャン開始ボタンが押下されたか否かを判断する。スキャン開始ボタンが押下されていないと判断した場合には（Ｓ５８：ＮＯ）、スキャン開始ボタンが押下されるまで待機する。一方、スキャン開始ボタンが押下されたと判断した場合には（Ｓ５８：ＹＥＳ）、Ｓ５９へ進む。
【００７１】
そして、Ｓ５９において、表示部１６に「スキャン中」を表示する。そして、Ｓ６０において、情報管理部５１からスキャンタイプ（色数）、解像度、原稿サイズを取得する。そして、Ｓ６１において、Ｓ６０で取得したパラメータにてスキャンを実行し、スキャン結果を情報管理部５１に格納する。
【００７２】
そして、Ｓ６２において、表示部１６を通常表示状態に戻す。そして、Ｓ６３において、スキャン結果処理タスク５５にスキャン完了シグナルを送った後、Ｓ５２に戻って待機する。
【００７３】
＜スキャン結果処理タスク＞
図１０は、図５に示すスキャン結果処理タスク５５の処理手順を示す。
スキャン結果処理タスク５５は、スキャンデータをユーザが希望するファイルフォーマットで画像記憶フォルダ４２に保存するものである。
【００７４】
スキャン結果処理タスク５５は、Ｓ７１において、情報管理部５１からウエイト時間を取得する。そして、Ｓ７２において、スキャン完了シグナルをスキャンタスク５４から受信したか否かを判断する。スキャン完了シグナルを受信していないと判断した場合には（Ｓ７２：ＮＯ）、Ｓ７３において、所定時間ウエイトした後、Ｓ７２へ戻る。
【００７５】
一方、スキャン完了シグナルを受信したと判断した場合には（Ｓ７２：ＹＥＳ）、Ｓ７４へ進み、情報管理部５１からユーザ名を取得する。そして、Ｓ７５において、ユーザ名を保存先フォルダ名とする。そして、Ｓ７６において、保存先フォルダが存在するか否かを確認する。保存先フォルダが存在すると判断した場合には（Ｓ７６：ＹＥＳ）、そのままＳ７８へ進む。一方、保存先フォルダが存在しないと判断した場合には（Ｓ７６：ＮＯ）、Ｓ７７において、保存先フォルダを作成してから、Ｓ７８へ進む。
【００７６】
そして、Ｓ７８において、情報管理部５１からファイルフォーマットを取得する。そして、Ｓ７９において、Ｓ７８で取得したファイルフォーマットがＪＰＥＧフォーマットであるか否かを判断する。ＪＰＥＧフォーマットであると判断した場合には（Ｓ７９：ＹＥＳ）、Ｓ８０において、情報管理部５１に保存されているスキャン結果をＪＰＥＧファイルに変換し、保存先フォルダに保存した後、Ｓ８４へ進む。
【００７７】
一方、Ｓ７８で取得したファイルフォーマットがＪＰＥＧフォーマットでないと判断した場合には（Ｓ７９：ＮＯ）、Ｓ８１において、Ｓ７８で取得したファイルフォーマットがＴＩＦＦフォーマットか否かを判断する。ＴＩＦＦフォーマットであると判断した場合には（Ｓ８１：ＹＥＳ）、Ｓ８２において、情報管理部５１に保存されているスキャン結果をＴＩＦＦファイルに変換し、保存先フォルダに保存した後、Ｓ８４へ進む。
【００７８】
更に、Ｓ７８で取得したファイルフォーマットがＪＰＥＧフォーマットでも、ＴＩＦＦフォーマットでもないと判断した場合には（Ｓ７９：ＮＯ、Ｓ８１：ＮＯ）、Ｓ８３において、情報管理部５１に保存されているスキャン結果をＢＭＰファイルに変換し、保存先フォルダに保存した後、Ｓ８４へ進む。
【００７９】
それから、Ｓ８４において、情報管理部５１からメールアドレスを取得した後、Ｓ８５において、Ｓ８４において取得したメールアドレスが登録されているか否かを判断する。メールアドレスが登録されていないと判断した場合には（Ｓ８５：ＮＯ）、そのままＳ８７へ進む。一方、メールアドレスが登録されていると判断した場合には（Ｓ８５：ＹＥＳ）、Ｓ８６において、スキャン完了メール送信を、メール送信タスク５６に依頼した後、Ｓ８７へ進む。
【００８０】
そして、Ｓ８７において、指示ファイル管理タスク２３２にスキャン完了シグナルを送ったら、Ｓ７２に戻って待機する。
【００８１】
＜ネットワークスキャナシステムの動作説明＞
次に、上記構成を有する本実施形態のネットワークスキャナシステムの動作について説明する。
複合機２は、電源を投入されると、ネットワークスキャナプログラム５０を実行する。そして、監視対象フォルダである指示データ記憶フォルダ４１のパス名を検出し、情報管理部５１の監視対象フォルダのパス名を記憶する領域に記憶する（図７のＳ１参照）。ネットワークを介して複合機２に接続してスキャンデータを取得可能なパソコン４Ａ，４Ｂ…は、指示データ記憶フォルダ４１に指示ファイルを各別に設けられているので、指示データ記憶フォルダ４１のパス名を情報管理部５１に記憶させることにより、指示データのサーチ範囲が特定される。そして、複合機２は、図６に示すように、情報管理部５１に記憶されたウエイト時間を取得する（図７のＳ２参照）。
監視対象フォルダのパス名設定及びウエイト時間の取得により、複合機２が待機状態になる。
【００８２】
複合機２は、所定時間間隔で、指示データ記憶フォルダ４１の指示ファイルをサーチし、指示データを記憶する指示ファイルが指示データ記憶フォルダ４１に存在するか否かを確認する（図７のＳ３、Ｓ４参照）。指示ファイルが指示データ記憶フォルダ４１に存在せず、指示データが指示データ記憶フォルダ４１に記憶されていなければ、所定時間待機した後、再度指示ファイルの存在を確認する（図７のＳ４：ＮＯ、Ｓ５参照）。
【００８３】
その後、例えば、画像読取を希望するユーザ甲が、自分のパソコン４Ａに、ユーザ名「ＢｒＥｄｙ」、メールアドレス「ｘｘｘｘｘｘｘｘ＠ｘｘｘ．ｃｏｍ」、スキャンタイプ（色数）「ＴＣ」、スキャン解像度「６００ｄｐｉ」、スキャン原稿サイズ「Ａ４」、スキャン結果の保存のファイルフォーマット「ＪＰＥＧ」を入力して指示データを作成し、その指示データをＬＡＮ３を介して複合機２宛に送信すると、複合機２は、指示データを受信して指示データ記憶フォルダ４１に記憶する。
【００８４】
具体的には、ユーザ甲が、パソコン４Ａを用いて、ユーザ甲のユーザ名「ＢｒＥｄｙ」をもとにファイル名「ｂｒｅｄｙ．ｒｓ」を作り、ファイル名「ｂｒｅｄｙ．ｒｓ」をつけた指示ファイルに指示データを図４に示すように記憶させる。これにより、指示ファイルは、図４に示すように、「ユーザ名」のコメントの後に行を変えて「Ｎａｍｅ：ＢｒＥｄｙ」が書き込まれ、「メールアドレス」のコメントの後に行を変えて「Ｍａｉｌ：ｘｘｘｘｘｘｘｘ＠ｘｘｘ．ｃｏｍ」が書き込まれ、「スキャンタイプ（色数）」のコメントの後に行を変えて「Ｓｃａｎ  Ｔｙｐｅ：ＴＣ」が書き込まれ、「スキャン解像度」のコメントの後に行を変えて「ＤＰＩ：６００」が書き込まれ、「スキャン原稿サイズ」のコメントの後に行を変えて「ＤｏｃＳｉｚｅ：Ａ４」が書き込まれ、「スキャン結果の保存のファイルフォーマット」のコメントの後に行を変えて「Ｆｏｒｍａｔ：ＪＰＥＧ」が書き込まれる。
【００８５】
複合機２は、指示データ記憶フォルダ４１に指示ファイルが存在することを確認すると、監視対象フォルダである指示データ記憶フォルダ４１を書込禁止状態にし、当該画像読み取りが完了するまで、何人も、指示データ記憶フォルダ４１にアクセスして指示データを記憶させることができないようにする（図７のＳ４：ＹＥＳ、Ｓ６参照）。
【００８６】
そして、検出した指示ファイルのファイル名「ｂｒｅｄｙ．ｒｓ」を、情報管理部５１の指示ファイル名を記憶する記憶領域に記憶させた後、指示ファイル監視タスク５２から指示ファイル解析タスク５３へ、指示ファイル検出シグナルを送信し、指示データが入力されたことを知らせる（図７のＳ７、Ｓ８参照）。
【００８７】
指示ファイル解析タスク５３は、情報管理部５１からウエイト時間を取得すると、指示ファイル検出シグナルを指示ファイル監視タスク５２から受信するまで待機する（図８のＳ２１、Ｓ２２：ＮＯ、Ｓ２３参照）。
【００８８】
指示ファイル解析タスク５３が、指示ファイル検出シグナルを受信すると、情報管理部５１に記憶されている既存のスキャンパラメータ（スキャンタイプ（色数）、スキャン解像度、スキャン原稿サイズ）を初期化するとともに、既存のメールアドレスを空文字列に初期化し、さらに、既存のファイルフォーマットを初期化することにより、新しいスキャンパラメータ、メールアドレス、ファイルフォーマットを情報管理部５１に書き込めるようにする（図８のＳ２２：ＹＥＳ、Ｓ２４、Ｓ２５、Ｓ２６参照）。
【００８９】
そして、情報管理部５１から指示ファイル名「ｂｒｅｄｙ．ｒｓ」を取得し、指示データ記憶フォルダ４１に格納されたファイル名「ｂｒｅｄｙ．ｒｓ」の指示ファイルをオープンした後、指示ファイルの終端であるか否かを確認する（図８のＳ２７、Ｓ２８、Ｓ２９参照）。
【００９０】
指示ファイルをオープンした時点では、指示ファイルの終端ではないので、指示ファイルから１行リードする（図８のＳ２９：ＮＯ、Ｓ３０参照）。最初のリードデータは、「ユーザ名」でなく、「ユーザ名」に対するコメントであるので、ユーザ名、メールアドレス、スキャンタイプ、スキャン解像度、原稿サイズ、ファイルフォーマットを情報管理部５１にセットせずに、ファイル終端までリードしたか否かを確認する（図８のＳ３１：ＮＯ、Ｓ３３：ＮＯ、Ｓ３５：ＮＯ、Ｓ３７：ＮＯ、Ｓ３９：ＮＯ、Ｓ４１：ＮＯ、Ｓ２９参照）。
【００９１】
指示ファイルをリードしていき、リードデータがユーザ名指定であると判断すると、リードデータからユーザ名「ＢｒＥｄｙ」を指示ファイルから取り出し、図６に示す情報管理部５１のユーザ名を記憶する記憶領域にセットする（図８のＳ２９：ＮＯ、Ｓ３０、Ｓ３１：ＹＥＳ、Ｓ３２参照）。ユーザ名が書き込まれた行には、メールアドレス、スキャンタイプ、スキャン解像度、原稿サイズ、ファイルフォーマットが記載されていないので、指示ファイルの終端までリードしたか確認する（図８のＳ３３：ＮＯ、Ｓ３５：ＮＯ、Ｓ３７：ＮＯ、Ｓ３９：ＮＯ、Ｓ４１：ＮＯ、Ｓ２９参照）。
【００９２】
ユーザ名と同様にして、メールアドレス「ｘｘｘｘｘｘｘｘ＠ｘｘｘ．ｃｏｍ」、スキャンタイプ「ＴＣ」、スキャン解像度「６００」、原稿サイズ「Ａ４」、ファイルフォーマット「ＪＰＥＧ」を指示ファイルから取り出し、情報管理部５１に順次セットしていく（図８のＳ３３：ＹＥＳ、Ｓ３４、Ｓ３５：ＹＥＳ、Ｓ３６、Ｓ３７：ＹＥＳ、Ｓ３８、Ｓ３９：ＹＥＳ、Ｓ４０、Ｓ４１：ＹＥＳ、Ｓ４２参照）。
【００９３】
ファイルフォーマットが「ＪＰＥＧ」であることを記載する指示ファイルの終端までリードしたら、指示ファイル解析タスク５３からスキャンタスク５４にスキャン開始シグナルを送信し、指示ファイルの解析が完了したことを知らせる（図８のＳ２９：ＹＥＳ、Ｓ４３参照）。
【００９４】
スキャンタスク５４は、情報管理部５１からウエイト時間を取得した後、スキャン開始シグナルを受信するまで待機する（図９のＳ５１、Ｓ５２：ＮＯ、Ｓ５３参照）。
【００９５】
スキャンタスク５４は、スキャン開始シグナルを受信すると、情報管理部５１に記憶されたユーザ名「ＢｒＥｄｙ」を取得し、複合機２の表示部１６にユーザ名「ＢｒＥｄｙ」とともに、「スキャン開始待ち」を表示する（図９のＳ５２：ＹＥＳ、Ｓ５４、Ｓ５５参照）。これにより、例えば、ユーザ甲のパソコン４Ａが複合機２から離れた位置に設置され、ユーザ甲が複合機２の近くにいない場合でも、第三者は、ユーザ甲がスキャン作業を行っていることを認識できる。
【００９６】
複合機２には、読取部１４にセットされた原稿のサイズを自動的に認識する原稿サイズ自動認識機能が有る場合と、原稿サイズ自動認識機能が無い場合とがある。原稿サイズ自動認識機能が無い場合には、ユーザ甲は、複合機２の設置場所まで来て原稿を読取部１４にセットし、操作部２２のスキャン開始ボタンを押下することにより、原稿の読み取りを開始させる（図９のＳ５６：ＮＯ、Ｓ５８：ＹＥＳ参照）。
これに対して、複合機２が原稿サイズ自動認識機能を有する場合には、ユーザ甲が原稿を複合機２の読取部１４にセットすると、原稿の読み取りが自動的に開始される（図９のＳ５６：ＹＥＳ、Ｓ５７：ＹＥＳ参照）。
【００９７】
原稿の読取開始時には、複合機２の表示部１６に「スキャン中」を表示し、原稿の読み取りが始まったことをユーザ甲に知らせる（図９のＳ５９参照）。そして、情報管理部５１からユーザ甲が指示したスキャンタイプ「ＴＣ」、解像度「６００」、原稿サイズ「Ａ４」を読み出して取得し、それらのスキャンパラメータに従って読取部１４に原稿を読み取らせ、スキャン結果（スキャンデータ）を情報管理部５１のスキャン結果格納バッファに格納する（図９のＳ６０、Ｓ６１参照）。スキャンデータを情報管理部５１に格納し終わったら、複合機２の表示部１６を通常状態に戻し、ユーザ甲に原稿の読み取りが完了したことを知らせる（図９のＳ６２参照）。その後、スキャン結果処理タスク５５にスキャン完了シグナルを送り、スキャンが完了したことを知らせる（図９のＳ６３）。
【００９８】
尚、上記スキャンタスク５４は、原稿を１枚だけスキャンする場合を想定して説明しているが、原稿を複数枚スキャンする場合には、原稿を１枚読み取り終わる毎に、複合機２の表示部１６の表示を切り替えるようにしてもよい。また、複合機２がＡＤＦ機構を備え、ＡＤＦ機構から複数原稿をスキャンする場合などには、全ての原稿を読み終わってから、表示を通常状態に戻しても良い。
【００９９】
スキャン結果処理タスク５５は、情報管理部５１からウエイト時間を取得した後、スキャン完了シグナルを受信するまで待機する（図１０のＳ７１、Ｓ７２：ＮＯ、Ｓ７３参照）。
【０１００】
スキャン結果処理タスク５５は、スキャン完了シグナルを受信すると、情報管理部５１に記憶されたユーザ名「ＢｒＥｄｙ」を読み出して取得し、取得したユーザ名「ＢｒＥｄｙ」を保存先フォルダ名とする（図１０のＳ７２：ＹＥＳ、Ｓ７４、Ｓ７５参照）。そして、複合機２のＲＡＭ１３又はＨＤＤ２１に保存先フォルダ名「ＢｒＥｄｙ」と同一のフォルダ名を有するフォルダが存在するか否かを判断する（図１０のＳ７６参照）。同一フォルダ名のフォルダが存在しなければ、保存先フォルダとなる画像記憶フォルダ４２を、保存先フォルダ名「ＢｒＥｄｙ」を付してＲＡＭ１３に作成した後、図６に示す情報管理部５１からファイルフォーマット「ＪＰＥＧ」を取得する（図１０のＳ７６：ＮＯ、Ｓ７７、Ｓ７８参照）。
【０１０１】
これに対して、画像記憶フォルダ４２のフォルダ名が保存先フォルダ名「ＢｒＥｄｙ」と同一であり、保存先フォルダがＲＡＭ１３に存在する場合には、保存先フォルダを新規に作成せずに、図６に示す情報管理部５１からファイルフォーマット「ＪＰＥＧ」を取得する（図１０のＳ７６：ＹＥＳ、Ｓ７８参照）。
【０１０２】
そして、取得したファイルフォーマットが、ＪＰＥＧフォーマットと、ＴＩＦＦフォーマットと、ＢＭＰフォーマットの何れであるかを判断し、スキャン結果を検出したフォーマットに変換し、保存先フォルダに保存する（図１０のＳ７９〜Ｓ８３参照）。ここでは、情報管理部５１のファイルフォーマットには、「ＪＰＥＧ」が記憶されているので、情報管理部５１のスキャン結果格納バッファに格納されているスキャンデータをＪＰＥＧファイルに変換し、ユーザ甲のユーザ名「ＢｒＥｄｙ」を保存先フォルダ名とする画像記憶フォルダ４２に保存する（図１０のＳ７９：ＹＥＳ、Ｓ８０）。
【０１０３】
それから、情報管理部５１からメールアドレスを読み出して取得し、そのメールアドレスが、指示ファイル解析タスク５３において、書き込まれて登録されたものであるか否かを判断する（図１０のＳ８４、Ｓ８５参照）。読み出したメールアドレスが、空文字列である場合には、情報管理部５１にメールアドレスが登録されていないと判断し、スキャン結果処理タスク５５から指示ファイル監視タスク５２にスキャン処理完了シグナルを送り、スキャン処理が完了したことを知らせる（図１０のＳ８５：ＮＯ、Ｓ８７参照）。
【０１０４】
一方、情報管理部５１に何らかのメールアドレス（本実施形態では「ｘｘｘｘｘｘｘｘ＠ｘｘｘ．ｃｏｍ」）が書き込まれている場合には、情報管理部５１から読み出したメールアドレスが、空文字列でなく、情報管理部５１に登録されたものであると判断し、読み出したメールアドレス「ｘｘｘｘｘｘｘｘ＠ｘｘｘ．ｃｏｍ」を付してスキャン完了メール送信をメール送信タスク５６に依頼してから、スキャン処理完了シグナルを指示ファイル監視タスク５２に送信する（図１０のＳ８５：ＹＥＳ、Ｓ８６、Ｓ８７参照）。
尚、情報管理部５１から読み出した文字列が、メールアドレスの書式に合致するか否かを判断し、合致しない場合には、メール送信タスク５６にスキャン完了メール送信を依頼する処理をスキップして、スキャン処理完了シグナルを指示ファイル監視タスク５２に送信するようにしてもよい。この場合、メール送信タスク５６がスキャン完了メールを送信できず、エラーを生じる不具合を回避できる。
【０１０５】
尚、スキャン完了メールの送信を依頼されたメール送信タスク５６は、スキャンが完了した旨を記載したメールを、スキャン結果処理タスク５５から受け取ったメールアドレス「ｘｘｘｘｘｘｘｘ＠ｘｘｘ．ｃｏｍ」宛に送信する。
【０１０６】
指示ファイル監視タスク５２は、スキャン処理完了シグナルをスキャン結果処理タスク５５から受信すると、監視対象フォルダである指示データ記憶フォルダ４１の書込禁止状態を解除し、第三者が指示データ記憶フォルダ４１にアクセスして指示データを置くことを可能にする（図７のＳ９：ＹＥＳ、Ｓ１１参照）。その後、指示ファイル監視タスク３２は、ファイル名「ｂｒｅｄｙ．ｒｓ」の指示ファイルを削除し、ユーザ甲の指示データに基づくスキャンを完了する（図７のＳ１２参照）。
【０１０７】
ユーザ甲は、複合機２によるスキャンが完了したことを知ると、複合機２の読取部１４から原稿を取り出してパソコン４Ａへ戻る。そして、パソコン４ＡからＬＡＮ３を介して複合機２の画像記憶フォルダ４２にアクセスし、スキャンデータを複合機２からパソコン４Ａに転送させる。このとき、パソコン４Ａは、ユーザ甲のユーザ名「ＢｒＥｄｙ」をフォルダ名とする画像記憶フォルダ４２にしかアクセスできないため、ユーザ甲のスキャンデータが他のユーザのパソコン４Ｂ…に転送されたり、ユーザ甲が他人のスキャンデータを自分のパソコン４Ａに転送させる不具合が回避される。
【０１０８】
＜ネットワークスキャナシステムの作用及び効果＞
本実施形態の複合機２（ネットワークスキャナ３１）によれば、ネットワークフォルダである指示データ記憶フォルダ４１に置かれた指示データを読み出し、その指示データに従って読取部１４によって原稿を読み取り、読取部１４が指示データに従って読み取ったスキャンデータを、ネットワークフォルダである画像記憶フォルダ４２に記憶させるので、スキャナドライバをパソコン４Ａにインストールしなくても、ユーザ甲の指示に応じて処理したスキャンデータをパソコン４Ａに取得させることができる。
【０１０９】
尚、上記実施形態では、複合機２（ネットワークスキャナ３１）が有する指示データ記憶フォルダ４１とスキャンデータ記憶フォルダ４２は、同一のＲＡＭ１３で構成したが、同一のＨＤＤ２１で構成してもよいし、例えば一方をＲＡＭ１３で構成し、他方をＨＤＤ２１で構成するように、別々のメモリで構成してもよい。
【０１１０】
ここで、複数のユーザが複合機２（ネットワークスキャナ３１）を共有する場合、各ユーザでスキャンパラメータ（スキャンタイプ（色数）、解像度、原稿サイズなど）が異なることがある。本実施形態の複合機２（ネットワークスキャナ３１）は、ユーザ甲が画像読取時にスキャンパラメータ（スキャンタイプ「ＴＣ」、スキャン解像度「６００」、原稿サイズ「Ａ４」）を含む指示データを指示データ記憶フォルダ４１に記憶させて指示ファイルが作成されると、その指示データに含まれるスキャンパラメータ（スキャンタイプ「ＴＣ」、スキャン解像度「６００」、原稿サイズ「Ａ４」）に従って原稿を読み取り、スキャン完了後に指示データ記憶フォルダ４１から指示ファイルを削除するので、ユーザ毎にスキャンパラメータを複合機２（ネットワークスキャナ３１）に予め記憶させておく必要がなく、複合機２（ネットワークスキャナ３１）のメモリが圧迫されない。
【０１１１】
また、本実施形態の複合機２（ネットワークスキャナ３１）によれば、読取部１４が読み取ったスキャンデータを、指示データに含まれるユーザ名「ＢｒＥｄｙ」によって特定される画像記憶フォルダ４２に記憶させるので、ユーザ甲に、自己の設定した指示データに従って読み取られたスキャンデータのみを取得させることができる。
【０１１２】
また、本実施形態の複合機２（ネットワークスキャナ３１）によれば、指示データ記憶フォルダ４１に指示データが置かれ、且つ、操作部２２のスキャン開始ボタンが押下されると、読取部１４が指示データに従って原稿を読み取り始めるので、ユーザ甲は、原稿読み取りを行うときに、パソコン４Ａの設置場所から複合機２（ネットワークスキャナ３１）の設置場所へ原稿をセットするために１回行くだけでよい。
【０１１３】
また、本実施形態の複合機２（ネットワークスキャナ３１）によれば、あるパソコン４Ａが原稿を読み取るために、指示データを指示データ記憶フォルダ４１に置くと、他のパソコン４Ｂが指示データを置かれた指示データ記憶フォルダ４１へのアクセスを禁止され、指示データを置けなくなるので、他のパソコン４Ｂが指示した指示データに従って、読取部が原稿を読み取る不具合を回避できる。
【０１１４】
また、本実施形態の複合機２（ネットワークスキャナ３１）によれば、指示データ記憶フォルダ４１に指示データが置かれたときに、複合機２の表示部１６にユーザ名「ＢｒＥｄｙ」と「スキャン開始待ち」を表示することにより、複合機２（ネットワークスキャナ３１）がスキャン待ちであることを報知するので、あるユーザ甲が指示データを設定した後に、他のユーザ乙が指示データを設定したために、読取部１４が、あるユーザ甲が読取部１４にセットした原稿を、他のユーザ乙が設定した指示データに従って読み取る不具合を回避できる。
【０１１５】
また、本実施形態の複合機２（ネットワークスキャナ３１）によれば、読取部１４による原稿の読み取りが完了したときに、ユーザ甲が設定したメールアドレス「ｘｘｘｘｘｘｘｘ＠ｘｘｘ．ｃｏｍ」宛に読取完了を通知するので、ユーザ甲は、例えば、解像度を「２４００ｄｐｉ」と高く設定し、画像の読み取りに時間がかかるため、複合機２の設置場所を離れてパソコン４Ａに戻って他の作業をしていても、原稿の読み取りが終わったことをパソコン４Ａ側で知ることができる。尚、スキャンが完了するまで、複合機２の表示部１６には、「スキャン中」と表示されているので、第三者が読取部１４から原稿を誤って取り出す恐れがない。
【０１１６】
（第２実施形態）
次に、本発明のネットワークスキャナ及びネットワークスキャナシステムの第２実施形態について説明する。本実施形態では、複合機２（ネットワークスキャナ３１）がスキャンデータに識別子を付し、それを画像記憶フォルダ４２の保存ファイルに記憶させる点で、第１実施形態と構成、作用及び効果が異なる。よって、ここでは、第１実施形態の異なる構成及びその作用効果についてのみ説明し、その他は説明を割愛する。尚、説明で使用する符号は、第１実施形態と同一構成のものには、同一符号を用いる。
【０１１７】
図１１は、本発明の第２実施形態に係るネットワークスキャナシステムが実行するスキャン結果処理タスク１５５の処理手順を示す図である。
スキャン結果処理タスク１５５は、Ｓ７８において、「情報管理部５１からファイルフォーマットを取得した後、取得したファイルフォーマットがＪＰＥＧフォーマットであると判断すれば（Ｓ７９：ＹＥＳ）、Ｓ１８０において、情報管理部５１に保存されているスキャン結果をＪＰＥＧファイルに変換して、ユーザ名を含むファイル名とし、保存先フォルダに保存する。
【０１１８】
一方、取得したファイルフォーマットが、ＪＰＥＧフォーマットでなく、ＴＩＦＦフォーマットである場合には（Ｓ７９：ＮＯ、Ｓ８１：ＹＥＳ）、Ｓ１８２において、情報管理部５１に保存されているスキャン結果をＴＩＦＦファイルに変換して、ユーザ名を含むファイル名とし、保存先フォルダに保存する。
【０１１９】
更に、取得したファイルフォーマットが、ＪＰＥＧフォーマットでもＴＩＦＦフォーマットでもない場合には（Ｓ７９：ＮＯ、Ｓ８１：ＮＯ）、Ｓ１８３において、情報管理部５１に保存されているスキャン結果をＢＭＰファイルに変換して、ユーザ名を含むファイル名とし、保存先フォルダに保存する。
【０１２０】
このようなスキャン結果処理タスク１５５を実行する複合機２（ネットワークスキャナ３１）は、例えば、ユーザ甲がファイルフォーマットを「ＪＰＥＧ」と指定した場合に、ユーザ甲が指定した指示データに従って原稿を読み取って取得したスキャンデータを、ＪＰＥＧファイルに変換した後、ユーザ甲のユーザ名「ＢｒＥｄｙ」を含むファイル名が付された保存ファイルを画像記憶フォルダ４２に作り、その保存ファイルに当該スキャンデータを記憶させるので、他人のスキャンデータがユーザ甲のユーザ名「ＢｒＥｄｙ」を含む保存ファイルに記憶されることがなく、ユーザ甲は自分のユーザ名「ＢｒＥｄｙ」が付された保存ファイルにアクセスすれば、自分が設定した指示データに従って読み取られたスキャンデータのみを取得することができる。
【０１２１】
（第３実施形態）
次に、本発明のネットワークスキャナ及びネットワークスキャナシステムの第３実施形態について説明する。本実施形態のネットワークスキャナシステム２０１は、指示データ記憶フォルダ４１と画像記憶フォルダ４２を複合機２０２（スキャナ２３１）の外部に接続するネットワークスキャナサーバパソコン（外部記憶装置）２０５に設け、ネットワークスキャナサーバパソコン２０５が、指示データに従って複合機２０２（スキャナ２３１）に原稿をスキャンさせる点で、第１実施形態と構成、作用及び効果が相違する。よって、ここでは、第１実施形態の異なる構成及びその作用効果についてのみ説明し、その他は説明を割愛する。尚、説明で使用する符号は、第１実施形態と同一構成のものには、同一符号を用いる。
【０１２２】
図１２は、ネットワークスキャナシステム２０１のシステム構成図である。
ネットワークスキャナシステム２０１は、ネットワークスキャナサーバパソコン２０５が、ＬＡＮ３を介してパソコン４Ａ，４Ｂ…に接続し、そのネットワークスキャナサーバパソコン２０５に複合機２０２が接続されている。
【０１２３】
図１３は、図１２に記載するネットワークスキャナシステム２０１に使用される複合機２０２の装置構成図である。
複合機２０２は、基本的に第１実施形態の複合機２と同じであるが、パラレルＩ／Ｆ１８、ＬＡＮＩ／Ｆ１９、メモリカードＩ／Ｆ２０、ＨＤＤ２１を備えないこと、及び、ＲＡＭ１３に指示データ記憶フォルダ４１と画像記憶フォルダ４２を備えないことが、第１実施形態と相違する。また、複合機２０２は、ＲＯＭ１２に、ネットワークスキャナプログラム５０ではなくスキャナプログラム２１１を格納していることが、第１実施形態と相違する。スキャナプログラム２１１は、ネットワークスキャナサーバパソコン２０５から入力したスキャンパラメータ（スキャンタイプ（色数）、解像度、原稿サイズ）に従って、読取部１４にセットされた原稿をスキャンし、スキャン結果をネットワークスキャナサーバパソコン２０５へ送り返すためのプログラムである。
【０１２４】
図１４は、図１２に記載するネットワークスキャナシステム２０１に使用される複合機２０２及びネットワークスキャナサーバパソコン２０５のブロック図である。
スキャナ２３１は、第１実施形態と同様、複合機２０２に組み込まれ、複合機２０２の構成部品によりスキャナユニット３３、コントロールユニット３４、ＵＳＢＩ／Ｆ２１０が構成されている。ＵＳＢＩ／Ｆ２１０は、複合機２０２のＵＳＢＩ／Ｆ１７により構成される。スキャナ２３１は、ＵＳＢＩ／Ｆ２１０を介してネットワークスキャナサーバパソコン２０５に接続されている。
【０１２５】
ネットワークスキャナサーバパソコン２０５は、汎用パソコンであり、詳細な説明を省略するが、スキャナネットワークシステム２０１を構成するために、ファイルシステム２０６、ＵＳＢＩ／Ｆ２０７、マザーボード２０８、ネットワークＩ／Ｆ２０９、ＨＤＤ２１２、ディスプレイ２１４等を備える。ファイルシステム２０６には、第１実施形態と同様の指示データ記憶フォルダ４１と画像記憶フォルダ４２が設けられている。ファイルフォルダ２０６は、ネットワークＩ／Ｆ２０９を介してＬＡＮ３に接続され、指示データ記憶フォルダ４１と画像記憶フォルダ４２は、ネットワークフォルダを構成する。パソコンマザーボード２０８は、ネットワークスキャナサーバパソコン２０５の動作を制御するものである。ＨＤＤ２１２は、プログラムやデータなどを記憶する不揮発性のメモリであり、本実施形態では、ネットワークスキャナシステムプログラム２１３が格納されている。
【０１２６】
図１５は、図１２に記載するネットワークスキャナサーバパソコン２０５が使用するネットワークスキャナシステムプログラム２１３の構成を示す図である。
ネットワークスキャナシステムプログラム２１３は、第１実施形態のネットワークスキャナプログラム５０と同様、情報管理部５１、指示ファイル監視タスク５２、指示ファイル解析タスク５３、スキャンタスク１５４、スキャン結果処理タスク５５、メール送信タスク５６を備えるが、ネットワークスキャナサーバパソコン２０５がこれらのタスクを実行する点が、第１実施形態と相違する。また、ネットワークスキャナシステムプログラム２１３は、指示データとスキャンデータをネットワークスキャナサーバパソコン２０５のファイルシステム２０６に設けられた指示データ記憶フォルダ４１と画像記憶フォルダ４１にそれぞれ記憶する点、及び、スキャンタスク１５４の処理内容が、第１実施形態のネットワークスキャナプログラム５０と相違する。
【０１２７】
図１６は、図１５に記載するスキャンタスク１５４の処理手順を示す。
スキャンタスク１５４は、ネットワークスキャナサーバパソコン２０５により実行され、ユーザが指示したスキャンパラメータに従って複合機２に原稿を読み取らせ、読み取ったスキャン結果を記憶するものである。
【０１２８】
スキャンタスク１５４は、Ｓ５１において、情報管理部５１からウエイト時間を取得した後、Ｓ５２において、指示ファイル解析タスク５３からスキャン開始シグナルを受信すると、Ｓ５４において、情報管理部５１からユーザ名を取得する。そして、Ｓ５５において、ネットワークスキャナサーバパソコン２０５のディスプレイ２１４に、Ｓ５４において取得したユーザ名とともに、「スキャン待ち」を表示させる。
【０１２９】
そして、例えば、ネットワークスキャナサーバパソコン２０５が、複合機２０２の読取部１４にセットした原稿を自動的に認識する原稿セット自動認識機能を有する場合には（Ｓ５６：ＹＥＳ）、原稿セットを認識したときに、Ｓ５９へ進む。一方、ネットワークスキャナサーバパソコン２０５が原稿セット自動認識機能を有しない場合には（Ｓ５６：ＮＯ）、ユーザが、ネットワークスキャナサーバパソコン２０５のディスプレイ２１４に表示されたスキャン開始用アイコンのクリックした後に、或いは、スキャン開始用のキーボタンを操作した後に、Ｓ５９へ進む。そして、Ｓ５９において、ネットワークスキャナサーバパソコン２０５のディスプレイ２１４に「スキャン待ち」を表示した後、Ｓ６０において、情報管理部５１からスキャンパラメータ（スキャンタイプ（色数）、解像度、原稿サイズを取得する。
【０１３０】
そして、Ｓ１６１において、Ｓ６０で取得したスキャンパラーメータ（スキャンタイプ（色数）、解像度、原稿サイズ）にて、複合機２０２の読取部１４にセットした原稿を複合機２０２にスキャンさせ、スキャン結果（スキャンデータ）を複合機２から入力して情報管理部５１に格納する。そして、Ｓ６２において、ネットワークスキャナサーバパソコン２０５のディスプレイ２１４の表示を通常表示状態に戻した後、Ｓ６３において、スキャン結果処理タスク５５にスキャン完了シグナルを送る。
【０１３１】
このような構成を有する本実施形態のスキャナネットワークシステム２０１によれば、ユーザ甲がパソコン４Ａに指示データを入力すると、その指示データがネットワークスキャナサーバパソコン２０５に備えられた指示データ記憶フォルダ４１に置かれ、ネットワークスキャナサーバパソコン２０５は、ネットワークスキャナサーバパソコン２０５の指示データ記憶フォルダ４１から指示データを読み出し、その指示データに従って複合機２０２（スキャナ２３１）の読取部１４（スキャナユニット３３）に原稿を読み取らせ、複合機２０２（スキャナ２３１）が指示データに従って読み取ったスキャンデータを、複合機２０２から入力してネットワークフォルダである画像記憶フォルダ４２に記憶させるので（図１５のＳ１６１参照）、スキャナドライバをパソコン４Ａにインストールしなくても、ユーザ甲の指示に応じて処理したスキャンデータをパソコン４Ａに取得させることができる。
【０１３２】
ここで、上記ネットワークスキャナシステム２０１が有する指示データ記憶フォルダ４１とスキャンデータ記憶フォルダ４２は、同一のネットワークスキャナサーバパソコン２０５内に同じファイルシステム２０６を用いて構成したが、別々のメモリ若しくはファイルシステムで構成してもよいし、別々の装置のメモリやファイルシステムで構成してもよい。
【０１３３】
尚、本発明の実施の形態について説明したが、本発明は、上記実施の形態に限定されることなく、色々な応用が可能である。
【０１３４】
（１）例えば、上記実施の形態では、多機能を有する複合機２，２０２をネットワークスキャナ３１又はスキャナ２３１として使用したが、スキャナ機能のみを備えるものをネットワークスキャナ又はスキャナとして使用してもよい。
（２）例えば、上記実施の形態では、ＬＡＮ３を用いてネットワークを構築したが、インターネットなどを用いてネットワークを構築してもよい。
（３）上記実施形態では、指示データのスキャンパラメータとしてスキャンタイプ、スキャン解像度、スキャン原稿サイズを含めたが、複合機２，２０２（ネットワークスキャナ３１、スキャナ２３１）に読み取らせる原稿の枚数を含めてもよいし、また、カラーとモノクロを選択するようにしてもよい。
（４）上記第２実施形態では、ネットワークスキャナサーバパソコン２０５を外部記憶装置として使用したが、記憶部のみを有する外部記憶装置をＬＡＮ３に接続し、ネットワークスキャナシステムを構築してもよい。
（５）上記第２実施形態では、スキャン状態をネットワークスキャナサーバパソコン２０５のディスプレイ２１４に表示させたが、複合機２０２の表示部１６にスキャン状態を表示させるようにしてもよい。
【図面の簡単な説明】
【０１３５】
【図１】本発明の第１実施の形態に係るネットワークスキャナシステムのシステム構成図である。
【図２】図１に記載するネットワークスキャナシステムに使用される複合機のブロック図である。
【図３】図２に組み込まれるネットワークスキャナのブロック図である。
【図４】指示ファイルの構造を示す図である。
【図５】図１に記載するネットワークシステムに使用される複合機が実行するネットワークスキャナプログラムの構成を示す図である。
【図６】図５に示す情報管理部のデータブロック図である。
【図７】図５に示す指示ファイル監視タスクの処理手順を示す。
【図８】図５に示す指示ファイル解析タスクの処理手順を示す。
【図９】図５に示すスキャンタスクの処理手順を示す。
【図１０】図５に示すスキャン結果処理タスクの処理手順を示す。
【図１１】本発明の第２実施形態に係るネットワークスキャナシステムが実行するスキャン結果処理タスクの処理手順を示す図である。
【図１２】本発明の第３実施の形態に係るネットワークスキャナシステムのシステム構成図である。
【図１３】図１２に記載するネットワークスキャナシステムに使用される複合機の装置構成図である。
【図１４】図１２に記載するネットワークスキャナシステムに使用される複合機及びネットワークスキャナサーバパソコンのブロック図である。
【図１５】図１２に記載するネットワークスキャナサーバパソコンが使用するネットワークスキャナシステムプログラムの構成を示す図である。
【図１６】図１５に記載するスキャンタスクの処理手順を示す。
【符号の説明】
【０１３６】
３  ＬＡＮ（ネットワーク）
４Ａ，４Ｂ…  パソコン（端末）
２２  操作部（開始指示受取手段）
１６  表示部（報知手段）
３１  ネットワークスキャナ
３３  スキャナユニット（読取手段）
４１  指示データ記憶フォルダ
４２  画像記憶フォルダ
５０  ネットワークスキャナプログラム（指示データ読出手段、読取制御手段、画像記憶制御手段、アクセス禁止手段、報知手段、通知手段）
５２  指示ファイル監視タスク（アクセス禁止手段）
５３  指示ファイル解析タスク（指示データ読出手段）
５４  スキャンタスク（読取制御手段、報知手段）
５５，１５５  スキャン結果処理タスク（画像記憶制御手段）
５６  メール送信タスク（通知手段）
２０１  ネットワークスキャナシステム
２０５  ネットワークスキャナサーバパソコン（外部記憶装置）
２１３  ネットワークスキャナシステムプログラム（指示データ読出手段、読取制御手段、画像記憶制御手段、アクセス禁止手段、報知手段、通知手段）
【図１】
2007174444.tif 000003
【図２】
2007174444.tif 000004
【図３】
2007174444.tif 000005
【図４】
2007174444.tif 000006
【図５】
2007174444.tif 000007
【図６】
2007174444.tif 000008
【図７】
2007174444.tif 000009
【図８】
2007174444.tif 000010
【図９】
2007174444.tif 000011
【図１０】
2007174444.tif 000012
【図１１】
2007174444.tif 000013
【図１２】
2007174444.tif 000014
【図１３】
2007174444.tif 000015
【図１４】
2007174444.tif 000016
【図１５】
2007174444.tif 000017
【図１６】
2007174444.tif 000018